(57)【要約】【課題】  前側ドアと後側ドアを同時に開閉する時、音声アナウンスが重複しないようにし、どちらのドアが開閉するのかがアナウンスにて聞き分けできるエレベータの戸開閉装置を得る。【解決手段】  かご１に二つ以上の出入口を有し、同一階に上記かごの出入口に対応する二つ以上の出入口を有し、かご内にはその出入口毎にそれぞれ音声アナウンス装置４０、５０が設置され、それぞれの出入口用のドア２、３が同時に開閉できるようにしたものにおいて、出入口用のドアが同時に開閉する時、出入口毎の音声アナウンス装置から発する音声が重複しないように優先付けを行うエレベータの戸の制御手段１０を備える。【選択図】    図１
2006008278.tif 000002
【特許請求の範囲】
【請求項１】
かごに二つ以上の出入口を有し、同一階に上記かごの出入口に対応する二つ以上の出入口を有し、かご内にはその出入口毎にそれぞれ音声アナウンス装置が設置され、それぞれの出入口用のドアが同時に開閉できるようにしたエレベータにおいて、
出入口用のドアが同時に開閉する時、出入口毎の音声アナウンス装置から発する音声が重複しないように優先付けを行うエレベータの戸の制御手段を備えたことを特徴とするエレベータの戸開閉装置。
【請求項２】
エレベータの戸の制御手段は、かご内及び乗場で登録された呼びの種類によって先に戸開閉アナウンスするドアを変更できるようにしたことを特徴とする請求項１記載のエレベータの戸開閉装置。
【請求項３】
各種呼びの種類によって音声アナウンスの優先度を変更させる優先度パラメータを選択・設定できることを特徴とする請求項２記載のエレベータの戸開閉装置。
【請求項４】
かご内及び乗場で登録された呼びの種類によって先に戸開閉アナウンスするドアの変更を階床毎に設定できるようにしたことを特徴とする請求項２又は請求項３記載のエレベータの戸開閉装置。
【請求項５】
かご内及び乗場で登録された呼びの種類によって先に戸開閉アナウンスするドアの変更を時間帯毎、年月日、或いは曜日毎に設定できるようにしたことを特徴とする請求項２又は請求項３記載のエレベータの戸開閉装置。
【発明の詳細な説明】
【技術分野】
【０００１】
この発明は、かごに二つ以上の出入口を有するエレベータ（以下二方口エレベータという）のドアを開閉するエレベータの戸開閉装置に関するものである。
【背景技術】
【０００２】
２０００年の建築基準法の改正以前においては、二方口エレベータの場合、かごの両側のドアを同時に開くことが禁止されていたため、一方のドアが開いている間は、他方のドアは必ず閉めていなければならず、二方の両方に応答すべき呼びが有る場合は、何れか一方のドアを先に開閉させた後に、他方のドアを開閉させ、かご内乗客の希望する側のドアから降車させると共に、エレベータホールの待ち客を開いたドアから順次、かごに乗車させていた。
このように両側のドアを同時に開くことが禁止されている場合のかご内乗客への利便性の向上対策として、二方口エレベータにおいて、両側のドアが開く場合、先に開く方のドアの案内灯に、例えば、「こちらのドアが開きます」を点灯するものが提案されている（例えば、特許文献１参照）。
なお、２０００年の建築基準法の改正により、二方向口エレベータの場合の両側ドアが同時に開くことを禁止する規制が無くなったことから、一方のドア（以下前側ドアという）と他方のドア（以下後側ドアという）を同時に開くことが可能になった。これに応じて、前側ドアと後側ドアの二方向の出入口に対して、乗車または降車の乗客がいる場合、両側のドアを同時に開くようにした二方向口エレベータにあっても、前記特許文献１記載の案内灯と同様の案内表示灯をかご内乗客への利便性の向上の他、安全性の向上のために装備し、点灯している。これにより、ドアが開くことを事前に表示して引き込まれを防止している。
さらに、前側ドアと後側ドアのそれぞれの出入口上部近くにスピーカーを設け、このスピーカーから音声アナウンス、例えば、戸開き時のアナウンスとして、「こちらのドアが開きます」、または戸閉め時のアナウンスとして、「こちらのドアが閉まります」を流して、各ドアが実際に開く前、または閉じる前に事前予告し、前側ドアと後側ドアのどちらのドアが開閉するのかが識別できるようにし、かご内乗客、特に視覚障害者に対する利便性の向上と安全性の向上を図っている。
【０００３】
【特許文献１】特開平９−７７４０３号公報
【発明の開示】
【発明が解決しようとする課題】
【０００４】
図４は従来の前側ドアと後側ドアを同時に開閉する場合のそれぞれのドア出入口上部近くに設けたスピーカーから発する音声アナウンスの組合せを示す。なお、図４のＡ〜Ｄは各組合せに便宜上、付加した識別記号である。
以下、図４により前側ドアと後側ドアを同時に開閉する場合の従来の課題について説明する。
前側ドアと後側ドアのそれぞれの出入ロ上部の近くに設けたスピーカーから音声アナウンスする従来のものでは、二方向の両出入口に対して、乗車または降車の乗客がいる場合に、前側ドアと後側ドアを同時に開閉する時、図４に示すように、前側ドアと後側ドアを同時に開閉する組合せが４通りあり、例えば、図４の同時開閉の組合せＡの場合は、前側ドア、後側ドアのスピーカーから同時に「こちらのドアが開きます」を音声アナウンスするので、かご内乗客は音声が重複して聞こえ、いずれのドアが開くのか聞き分け難いという問題がある。
次に、図４の同時開閉の組合せＢの場合は、前側ドアのスピーカーから「こちらのドアが開きます」、後側ドアのスピーカーから「こちらのドアが閉まります」を同時に音声アナウンスするので、かご内乗客は音声が重複して聞こえ、いずれのドアが開閉するのか聞き分け難いという問題がある。
また、図４の同時開閉の組合せＣ及びＤの場合も、同様にかご内乗客は音声が重複して聞こえ、いずれのドアが開閉するのか聞き分け難いという問題があった。
【０００５】
この発明は、上述のような課題を解決するためになされたもので、二方向の両出入口に対して乗車または降車の乗客がいる場合、前側ドアと後側ドアを同時に開閉する時、前側ドア用のアナウンスと後側ドア用のアナウンスに優先付けを行い、一方のドア用アナウンスをし終えた時点で他方のドアのアナウンスとドアの開閉を許可するようにして、音声が重複しないようにし、どちらのドアが開閉するのかがアナウンスにて聞き分けできるエレベータの戸開閉装置を提供するものである。
【課題を解決するための手段】
【０００６】
この発明に係るエレベータの戸開閉装置は、かごに二つ以上の出入口を有し、同一階に上記かごの出入口に対応する二つ以上の出入口を有し、かご内にはその出入口毎にそれぞれ音声アナウンス装置が設置され、それぞれの出入口用のドアが同時に開閉できるようにしたものにおいて、出入口用のドアが同時に開閉する時、出入口毎の音声アナウンス装置から発する音声が重複しないように優先付けを行うエレベータの戸の制御手段を備えたものである。
【発明の効果】
【０００７】
この発明は以上説明したように、出入口用のドアが同時に開閉する時、出入口毎の音声アナウンス装置から発する音声が重複しないように優先付けを行うエレベータの戸の制御手段を備えたので、どちらのドアが開閉するのかがアナウンスにて聞き分けることができる。
【発明を実施するための最良の形態】
【０００８】
実施の形態１．
図１はこの発明の実施の形態１におけるエレベータの戸開閉装置の概略構成を示すシステム構成図である。
図１において、かごに二つ以上の出入口を有する二方口エレベータは、かご室１の一方に前側ドア２、他方に後側ドア３を備えている。エレベータの戸の制御手段１０は、エレベータが呼びに応答した時、ドア別に音声アナウンス指令を出力すると共にドア別に開閉指令を出力する。このエレベータの戸の制御手段１０から出力される各指令は、前側ドア戸開き指令１１ａ、前側ドア戸閉め指令１１ｂ、後側ドア戸開き指令１２ａ、後側ドア戸閉め指令１２ｂ、前側ドア戸開きアナウンス指令１３ａ、前側ドア戸閉めアナウンス指令１３ｂ、後側ドア戸開きアナウンス指令１４ａ、後側ドア戸閉めアナウンス指令１４ｂ等である。前側戸開閉装置２０は、エレベータの戸の制御手段１０から前側ドア戸開き指令１１ａ、或いは前側ドア戸閉め指令１１ｂを受けて、前側ドア２を開閉させる。また、前側ドア２と前側戸開閉装置２０は連結軸２１により連結されている。後側戸開閉装置３０は、エレベータの戸の制御手段１０から後側ドア戸開き指令１２ａ、或いは後側ドア戸閉め指令１２ｂを受けて、後側ドア３を開閉させる。また、後側ドア３と後側戸開閉装置３０は連結軸３１により連結されている。前側音声アナウンス装置４０は、エレベータの戸の制御手段１０から前側ドア戸開きアナウンス指令１３ａ、或いは前側ドア戸閉めアナウンス指令１３ｂを受け、前側音声信号線４１を介して前側ドア２側の出入り口上部に取り付けられた前側スピーカー６０に対し前側ドア２用のアナウンス指令を発する。また、前側音声アナウンス装置４０は、前側スピーカー６０による音声アナウンスが終了すると、前側アナウンス完了信号４２をエレベータの戸の制御手段１０に返すものである。後側音声アナウンス装置５０は、エレベータの戸の制御手段１０から後側ドア戸開きアナウンス指令１４ａ、或いは後側ドア戸閉めアナウンス指令１４ｂを受け、後側音声信号線５１を介して後側ドア３側の出入り口上部に取り付けられた後側スピーカー７０に対し後側ドア３用のアナウンス指令を発する。また、後側音声アナウンス装置５０は、後側スピーカー７０による音声アナウンスが終了すると、後側アナウンス完了信号５２をエレベータの戸の制御手段１０に返すものである。
【０００９】
次に、この実施の形態１の動作について説明する。
図２はこの発明の実施の形態１におけるエレベータの戸の制御手段の内部処理手順を表すフローチャートである。
図４のドア開閉の組合せＡの前側ドアと後側ドアが同時に開く場合の動作について、図１及び図２により説明する。
かごが走行中にかご呼びまたは乗場呼びに応答した場合、或いは、かごが停止している階の乗場呼びが登録されて、こらの各種呼びに応答し両側のドアを開く場合、先ずエレベータの戸の制御手段１０から前側ドア２用の前側音声アナウンス装置４０に前側ドア戸開きアナウンス指令１３ａが送出され、前側音声アナウンス装置４０は音声信号線４１を通して前側スピーカー６０から戸開用アナウンス、例えば、「こちらのドアが開きます」を発する。この時、前側戸開きアナウンスを行っている間はステップＳｌの判定はＹＥＳであるため、ステップＳ２にて後側ドア３用の戸開閉用アナウンスおよび後側ドア３の開閉が禁止される。
その後、前側音声アナウンス装置４０は戸開用アナウンス「こちらのドアが開きます」のアナウンスが終了すると同時に前側アナウンス完了信号４２をエレベータの戸の制御手段１０に返す。この時、前側戸開きアナウンスが完了しているのでステップＳｌの判定はＮＯとなり、ステップＳ４で前側ドア戸開閉が許可され、前側アナウンス完了信号４２を受けたエレベータの戸の制御手段１０は前側ドア戸開き指令１１ａを前側戸開閉装置２０に送り、前側戸開閉装置２０は駆動軸２１を介して前側ドア２を開く。
これと同時に、ステップＳ４で後側ドア開閉用アナウンスが許可されるのでエレベータの戸の制御手段１０から後側ドア３用の後側音声アナウンス装置５０に後側ドア戸開きアナウンス指令１４ａが送出され、後側音声アナウンス装置５０は音声信号線５１を通して後側スピーカー７０から戸開用アナウンス、「こちらのドアが開きます」を発する。
その後、後側音声アナウンス装置５０は戸開用アナウンス「こちらのドアが開きます」のアナウンスが終了すると同時に後側アナウンス完了信号５２をエレベータの戸の制御手段１０に返す。この時、後側戸開きアナウンスが完了しているのでステップＳ５の判定はＮＯとなり、ステップＳ８で後側ドア戸開閉が許可され、後側アナウンス完了信号５２を受けたエレベータの戸の制御手段１０は後側ドア戸開き指令信号１２ａを後側戸開閉装置３０に送り、後側戸開閉装置３０は駆動軸３１を介して後側ドア３を開く。  
その結果、前側スピーカー６０と後側スピーカー７０から同時に「こちらのドアが開きます」を重複して発することがなくなる。
【００１０】
次に、図１及び図２により、図４のドア開閉の組合せＢの前側ドアが開くと後側ドアが閉じる状態が同時に発生した場合の動作について説明する。
先ずエレベータの戸の制御手段１０から前側ドア２用の前側音声アナウンス装置４０に前側ドア戸開きアナウンス指令１３ａが送出され、前側音声アナウンス装置４０は音声信号線４１を通して前側スピーカー６０から戸開用アナウンス「こちらのドアが開きます」を発する。この時、前側戸開きアナウンスを行っている間はステップＳ１の判定はＹＥＳであるためステップＳ２にて後側ドア３用の戸開閉アナウンス及び後側ドア３の開閉が禁止される。
その後、前側音声アナウンス装置４０は戸開用アナウンス「こちらのドアが開きます」のアナウンスが終了すると同時に前側アナウンス完了信号４２をエレベータの戸の制御手段１０に返す。この時、前側戸開きアナウンスが完了しているのでステップＳ１の判定はＮＯとなり、ステップＳ４で前側ドア戸開閉が許可され、前側アナウンス完了信号４２を受けたエレベータの戸の制御手段１０は前側戸開き指令信号１１ａを前側戸開閉装置２０に送り、前側戸開閉装置２０は駆動軸２１を通して前側ドア２を開く。
これと同時に、ステップＳ４で後側ドア開閉用アナウンスが許可されるのでエレベータの戸の制御手段１０から後側ドア３用の後側音声アナウンス装置５０に後側ドア戸閉めアナウンス指令１４ｂが送出され、後側音声アナウンス装置５０は音声信号線５１を通して後側スピーカー７０から戸閉め用アナウンス「こららのドアが閉まります」を発する。
その後、後側音声アナウンス装置５０は戸閉め用アナウンス「こちらのドアが閉まります」のアナウンスが終了すると同時に後側アナウンス完了信号５２をエレベータの戸の制御手段１０に返す。この時、後側戸閉めアナウンスが完了しているのでステップＳ５の判定はＮＯとなり、ステップＳ８で後側ドア戸開閉が許可され、後側アナウンス完了信号５２を受けたエレベータの戸の制御手段１０は後側戸閉め指令信号１２ｂを後側戸開閉装置３０に送り、後側戸開閉装置３０は駆動軸３１を介して後側ドア３を閉める。
その結果、前側スピーカー６０から「こちらのドアが開きます」と後側スピーカー７０から「こちらのドアが閉まります」を同時に重複して発することがなくなる。
【００１１】
同様にして、図４のドア開閉の組合せＣの前側ドアが閉じると後側ドアが開く状態が同時に発生した場合、前側スピーカー６０から「こちらのドアが閉まります」と後側スピーカー７０から「こちらのドアが開きます」を同時に重複して発することがなくなる。
また、図４のドア開閉組合せＤの前側ドアと後側ドアが同時に閉じる場合も同様に、前側スピーカー６０と後側スピーカー７０から同時に「こちらのドアが閉まります」を重複して発することがなくなる。
【００１２】
実施の形態２．
次に、実施の形態２について、図１、図２、図３により説明する。
なお、実施の形態１においては、かごが走行中にかご呼びまたは乗場呼びに応答した場合、或いは、かごが停止している階の乗場呼びが登録されて、これらの各種呼びに応答し両側のドアを開く場合、各種呼びの種類（前側及び後側の一般かご呼び、車椅子がご呼び、一般乗場呼び、車椅子乗場呼び、視覚障害者専用呼び、役員専用呼びなど）に拘らず、前側ドア２の戸開アナウンスを優先し、前側ドア２が後側ドア３よりも先に開くようにしたが、実施の形態２は前記の各種呼びの種類によって先に戸開アナウンスするドアを変更できるようにしたものである。
図３は、各種呼びの種類によって音声アナウンスの優先度を変更させる優先度パラメータの番号Ｐ１〜Ｐ４と各種呼びの種類とアナウンスする側（前側、後側）を示す図である。
図３の優先度パラメータは、エレベータの戸の制御手段１０の内部記憶装置（図示せず）に格納され、エレベータの所有者または建物の管理者などの意向や指定により、その一つが選択・設定されるものである。
次に、図３の優先度パラメータＰ２が選択されている場合の実施の形態２の動作について説明する。
かごが走行中に後側の車椅子かご呼びと前側の一般乗場呼びが登録され、それらの呼びにエレベータが応答した場合、優先度パラメータＰ２において、「後側の車椅子かご呼びがあれば後側ドアの戸開アナウンスを前側ドアの戸開きアナウンス、及び前側ドアの戸閉めアナウンスよりも優先して発報する」条件に該当するため、エレベータの戸の制御手段１０は先ず、後側ドア３用の後側音声アナウンス装置５０に後側ドア戸開きアナウンス指令１４ａを送出し、後側音声アナウンス装置５０は音声信号線５１を通して後側スピーカー７０から戸開き用アナウンス「こちらのドアが開きます」を発する。
この時、後側戸開きアナウンスを行っている間はステップＳ５の判定はＹＥＳであるためステップＳ６にて前側ドア２用の戸開閉アナウンス及び前側ドア２の開閉が禁止される。
その後、後側音声アナウンス装置５０は戸開用アナウンス「こちらのドアが開きます」のアナウンスが終了すると同時に後側アナウンス完了信号５２をエレベータの戸の制御手段１０に返す。この時、後側戸開きアナウンスが完了しているのでステップＳ５の判定はＮＯとなり、ステップＳ８で後側ドア戸開閉が許可され、後側アナウンス完了信号５２を受けたエレベータの戸の制御手段１０は後側戸開き指令信号１２ａを後側戸開閉装置３０に送り、後側戸開閉装置３０は駆動軸３１を介して後側ドア３を開く。
これと同時に、ステップＳ８で前側ドア開閉用アナウンスが許可されるのでエレベータの戸の制御手段１０から前側ドア２用の前側音声アナウンス装置４０に前側ドア戸開きアナウンス指令１３ａが送出され、前側音声アナウンス装置４０は音声信号線４１を通して前側スピーカー６０から戸開用アナウンス「こちらのドアが開きます」を発する。
その後、前側音声アナウンス装置４０は戸開用アナウンス「こちらのドアが開きます」のアナウンスが終了すると同時に前側アナウンス完了信号４２をエレベータの戸の制御手段１０に返す。この時、前側戸開きアナウンスが完了しているのでステップＳ１の判定はＮＯとなり、ステップＳ４で前側ドア戸開閉が許可され、前側アナウンス完了信号４２を受けたエレベータの戸の制御手段１０は前側戸開き指令信号１１ａを前側戸開閉装置２０に送り、前側戸開閉装置２０は駆動軸２１を介して前側ドア２を開く。
その結果、後側の車椅子がご呼びを登録した車椅子利用者が降車する方向の後側スピーカー７０から「こちらのドアが開きます」を先にアナウンスし、その後、前側の一般乗場呼びを登録した一般乗客が乗車する方向の前側スピーカー６０から「こちらのドアが開きます」をアナウンスするので音声が重複することがなく、車椅子利用者は自分が降車する後側ドアを誤り無く識別することができる。
【００１３】
同様にして、図３の優先度パラメータＰ１が選択されている場合は、前側の一般かご呼びまたは前側の車椅子がご呼びがあれば前側ドアの戸開アナウンスを後側ドアの戸開きアナウンス、及び後側ドアの戸閉めアナウンスよりも優先して発報し、音声が重複することがない。
同様に、優先度パラメータＰ３、Ｐ４が選択されている場合は、それぞれ前側または後側の乗場呼びの種類に応じ、前側または後側の戸開アナウンスの優先を変えることができ、いずれも音声が重複することがない。
【００１４】
実施の形態３．
次に、実施の形態３について説明する。
実施の形態３は図３の優先度パラメータを階床毎にエレベータの戸の制御手段１０の内部記憶装置（図示せず）に格納し、階床毎に各種呼びの種類によって音声アナウンスの優先度を変更させることができるようにしたものである。
例えば、１階〜３階は優先度パラメータＰ１、４階〜６階は優先度パラメータＰ４、７階は優先度パラメータＰ３、８階は優先度パラメータＰ２など、階床毎に優先度パラメータを変えて設定し、各階床毎にそれぞれ前側または後側の各種呼びの種類に応じ、前側または後側の戸開アナウンスの優先度を変えることができ、いずれも音声が重複することがない。
【００１５】
実施の形態４．
次に、実施の形態４について説明する。
実施の形態４は図３の優先度パラメータを時間帯毎にエレベータの戸の制御手段１０の内部記憶装置（図示せず）に格納し、時間帯毎に各種呼びの種類によって音声アナウンスの優先度を変更させることができるようにしたものである。
例えば、０時〜７時は優先度パラメータＰ１、８時〜１２時は優先度パラメータＰ４、１３時〜１７時は優先度パラメータＰ３、１８時〜２３時は優先度パラメータＰ２など、時間帯毎に優先度パラメータを変えて設定し、各時間帯毎にそれぞれ前側または後側の各種呼びの種類に応じ、前側または後側の戸開アナウンスの優先度を変えることができ、いずれも音声が重複することがない。
なお、時間帯に変えて年月日や曜日毎に優先度パラメータを設定することも実施できる。
以上、前側と後側の二方向出入口について説明したが、三方向以上の出入口についても、同様に実施できる。
【図面の簡単な説明】
【００１６】
【図１】この発明の実施の形態１におけるエレベータの戸開閉装置の概略構成を示すシステム構成図である。
【図２】この発明の実施の形態１におけるエレベータの戸の制御手段の内部処理手順を表すフローチャートである。
【図３】優先度パラメータと各種呼びの種類とアナウンスする側を示す図である。
【図４】前側ドアと後側ドアを同時に開閉する場合のそれぞれのドア出入口上部近くに設けたスピーカーから発する音声アナウンスの組合せを示す図である。
【符号の説明】
【００１７】
１  エレベータのかご
２  前側ドア
３  後側ドア
１０  エレベータの戸の制御手段
１１ａ  前側ドア戸開き指令
１１ｂ  前側ドア戸閉め指令
１２ａ  後側ドア戸開き指令
１２ｂ  後側ドア戸閉め指令
１３ａ  前側ドア戸開きアナウンス指令
１３ｂ  前側ドア戸閉めアナウンス指令
１４ａ  後側ドア戸開きアナウンス指令
１４ｂ  後側ドア戸閉めアナウンス指令
２０  前側戸開閉装置
２１  連結軸
３０  後側戸開閉装置
３１  連結軸
４０  前側音声アナウンス装置
４１  前側音声信号線
４２  前側アナウンス完了信号
５０  後側音声アナウンス装置
５１  後側音声信号線
５２  後側アナウンス完了信号
６０  前側スピーカー
７０  後側スピーカー
【図１】
2006008278.tif 000003
【図２】
2006008278.tif 000004
【図３】
2006008278.tif 000005
【図４】
2006008278.tif 000006